(57)【要約】【課題】カメラおよび電子機器表示装置の視認性を向上させる。【解決手段】カメラ１の背面の輝度分布を測定できる測光センサ１５３を用いて、撮影者の顔面部分の輝度（顔面輝度Ｂａ）と、顔面部分周辺の輝度（周辺輝度Ｂｂ）とを検出する。顔面輝度Ｂａと周辺輝度Ｂｂとの高低関係を判断することで逆光状態であるか否かを判断する。そして、顔面輝度Ｂａが周辺輝度Ｂｂよりも高ければ逆光状態であると判断してバックライト７ｂの輝度を上昇させるように構成した。これにより、逆光状態で光源からの光が撮影者に直接照射されて、表示モニタ７の表示面や保護ガラスの表面にユーザの顔が映り込んでも、表示モニタ７の視認性低下を抑制して表示モニタ７の視認性を確保できる。【選択図】図１
2008244587.tif 000002
【特許請求の範囲】
【請求項１】
被写体像を撮像する撮像手段と、
カメラの筐体に設けられた表示装置と、
前記表示装置の表示面が向けられた方向の輝度分布を測定する輝度分布測定手段と、
前記輝度分布測定手段で測定した前記輝度分布の中の第１領域の輝度と、前記第１領域の周辺の第２領域の輝度との高低関係を判定する判定手段と、
前記判定手段の判定結果に基づいて前記表示装置の輝度値を設定する輝度設定手段と、
前記輝度設定手段で設定された前記輝度値で画面表示されるように前記表示装置を制御する表示制御手段とを備えることを特徴とするカメラ。
【請求項２】
請求項１に記載のカメラにおいて、
前記輝度設定手段は、前記第１領域の輝度が、前記第２領域の輝度よりも低いと前記判定手段で判定された場合は、前記輝度値を第１の値に設定し、前記第１領域の輝度が、前記第２領域の輝度よりも高いと前記判定手段で判定された場合は、前記輝度値を第１の値よりも大きい第２の値に設定することを特徴とするカメラ。
【請求項３】
請求項２に記載のカメラにおいて、
前記輝度設定手段は、前記第１領域の輝度が、前記第２領域の輝度よりも低いと前記判定手段で判定された場合であっても、前記第２領域の輝度があらかじめ定められた値より高い場合は、前記輝度値を前記第１の値よりも高い第３の値に設定することを特徴とするカメラ。
【請求項４】
請求項１に記載のカメラにおいて、
前記カメラの周囲の明るさを検出する周囲明るさ検出手段をさらに備え、
前記輝度設定手段は、前記周囲明るさ検出手段で検出した前記カメラの周囲の明るさが所定のしきい値よりも低い場合には、前記判定手段の判定に関わらず、前記輝度値を第１の値、または、前記第１の値よりも低い第４の値に設定し、
前記輝度設定手段は、前記周囲明るさ検出手段で検出した前記カメラの周囲の明るさが所定のしきい値よりも高い場合には、前記判定手段の判定結果に基づいて、前記表示装置の輝度値を設定することを特徴とするカメラ。
【請求項５】
請求項４に記載のカメラにおいて、
ユーザの操作入力に基づいて前記所定のしきい値を変更するしきい値変更手段を更に備えることを特徴とするカメラ。
【請求項６】
請求項４に記載のカメラにおいて、
前記周囲明るさ検出手段は、前記撮像手段であり、前記撮像手段の出力に基づいて前記カメラの周囲の明るさを検出することを特徴とするカメラ。
【請求項７】
請求項４に記載のカメラにおいて、
前記周囲明るさ検出手段は、前記輝度分布測定手段であり、前記輝度分布測定手段で測定した前記第１領域の輝度と前記第２領域の輝度との少なくとも一方に基づいて前記カメラの周囲の明るさを検出することを特徴とするカメラ。
【請求項８】
請求項１に記載のカメラにおいて、
前記第１領域は、前記輝度分布測定手段で測定される測定エリアの中央近傍部分であることを特徴とするカメラ。
【請求項９】
カメラの筐体の前面の被写体像を撮像する撮像手段と、
前記筐体の背面に設けられた表示装置と、
前記背面の明るさを検出する背面明るさ検出手段と、
前記撮像手段の出力と、前記背面明るさ検出手段で検出した前記背面の明るさとに基づいて、前記表示装置の輝度値を決定する輝度値決定手段と、
前記輝度値決定手段で決定された輝度値に前記表示装置の輝度値を設定する輝度設定手段と、
前記輝度設定手段で設定された前記輝度値で画面表示されるように前記表示装置を制御する表示制御手段とを備えることを特徴とするカメラ。
【請求項１０】
請求項９に記載のカメラにおいて、
前記輝度値決定手段は、前記撮像手段の出力と、前記背面明るさ検出手段で検出した前記背面の明るさとに基づいて、逆光状態であるか否かを判断し、順光状態であると判断されると、前記輝度値を第１の値に決定し、逆光状態であると判断されると、前記輝度値を第１の値よりも高い第２の値に決定することを特徴とするカメラ。
【請求項１１】
請求項１０に記載のカメラにおいて、
前記輝度値決定手段は、前記撮像手段の出力と、前記背面明るさ検出手段で検出した前記背面の明るさとに基づいて、順光状態であると判定した場合であっても、前記背面明るさ検出手段で検出した前記背面の明るさがあらかじめ定められた明るさよりも明るい場合には、前記輝度値を前記第１の値よりも高い第３の値に決定することを特徴とするカメラ。
【請求項１２】
請求項９に記載のカメラにおいて、
前記カメラの周囲の明るさを検出する周囲明るさ検出手段をさらに備え、
前記輝度設定手段は、前記周囲明るさ検出手段で検出した前記カメラの周囲の明るさが所定のしきい値よりも低い場合には、前記輝度値決定手段の決定に関わらず、前記表示装置の輝度値を第１の値、または、前記第１の値よりも低い第４の値に設定し、
前記輝度設定手段は、前記周囲明るさ検出手段で検出した前記カメラの周囲の明るさが所定のしきい値よりも高い場合には、前記輝度値決定手段の決定結果に基づいて、前記表示装置の輝度値を設定することを特徴とするカメラ。
【請求項１３】
請求項１２に記載のカメラにおいて、
ユーザの操作入力に基づいて前記所定のしきい値を変更するしきい値変更手段を更に備えることを特徴とするカメラ。
【請求項１４】
請求項１２に記載のカメラにおいて、
前記周囲明るさ検出手段は、前記撮像手段であり、前記撮像手段の出力に基づいて前記カメラの周囲の明るさを検出することを特徴とするカメラ。
【請求項１５】
請求項１２に記載のカメラにおいて、
前記周囲明るさ検出手段は、前記背面明るさ検出手段であり、前記背面明るさ検出手段で検出した前記背面の明るさに基づいて前記カメラの周囲の明るさを検出することを特徴とするカメラ。
【請求項１６】
被写体像を撮像する撮像手段と、
カメラの筐体に設けられた表示装置と、
前記撮像手段で撮像された前記被写体像に基づいて前記被写体像中の人物の顔面部を認識する顔認識手段と、
前記顔認識手段で認識された前記人物の顔面部の領域と、前記顔面部の周囲の領域との明るさの差に基づいて、前記表示装置の輝度値を決定する輝度値決定手段と、
前記輝度値決定手段で決定された輝度値に前記表示装置の輝度値を設定する輝度設定手段と、
前記輝度設定手段で設定された前記輝度値で画面表示されるように前記表示装置を制御する表示制御手段とを備えることを特徴とするカメラ。
【請求項１７】
請求項１６に記載のカメラにおいて、
前記輝度値決定手段は、前記顔認識手段で認識された前記人物の顔面部の領域と、前記顔面部の周囲の領域との明るさの差に基づいて、逆光状態であるか否かを判断し、順光状態であると判断されると、前記輝度値を第１の値に決定し、逆光状態であると判断されると、前記輝度値を第１の値よりも高い第２の値に決定することを特徴とするカメラ。
【請求項１８】
請求項１７に記載のカメラにおいて、
前記輝度値決定手段は、前記顔認識手段で認識された前記人物の顔面部の領域と、前記顔面部の周囲の領域との明るさの差に基づいて、順光状態であると判定された場合であっても、前記顔認識手段で認識された前記顔面部の周囲の領域の明るさがあらかじめ定められた明るさよりも明るい場合には、前記輝度値を前記第１の値よりも高い第３の値に決定することを特徴とするカメラ。
【請求項１９】
請求項１６に記載のカメラにおいて、
前記カメラの周囲の明るさを検出する周囲明るさ検出手段をさらに備え、
前記輝度設定手段は、前記周囲明るさ検出手段で検出した前記カメラの周囲の明るさが所定のしきい値よりも低い場合には、前記輝度値決定手段の決定に関わらず、前記表示装置の輝度値を第１の値、または、前記第１の値よりも低い第４の値に設定し、
前記輝度設定手段は、前記周囲明るさ検出手段で検出した前記カメラの周囲の明るさが所定のしきい値よりも高い場合には、前記輝度値決定手段の決定結果に基づいて、前記表示装置の輝度値を設定することを特徴とするカメラ。
【請求項２０】
請求項１９に記載のカメラにおいて、
ユーザの操作入力に基づいて前記所定のしきい値を変更するしきい値変更手段を更に備えることを特徴とするカメラ。
【請求項２１】
請求項１９に記載のカメラにおいて、
前記周囲明るさ検出手段は、前記撮像手段であり、前記撮像手段の出力に基づいて前記カメラの周囲の明るさを検出することを特徴とするカメラ。
【請求項２２】
筐体に設けられた表示装置と、
前記表示装置の表示面が向けられた方向の輝度分布を測定する輝度分布測定手段と、
前記輝度分布測定手段で測定した前記輝度分布中の第１領域の輝度と、前記第１領域の周辺の第２領域の輝度との高低関係を判定する判定手段と、
前記判定手段の判定結果に基づいて前記表示装置の輝度値を設定する輝度設定手段と、
前記輝度設定手段で設定された前記輝度値で画面表示されるように前記表示装置を制御する表示制御手段とを備えることを特徴とする電子機器。
【発明の詳細な説明】
【技術分野】
【０００１】
本発明は、表示装置を有するカメラおよび電子機器に関する。
【背景技術】
【０００２】
撮像素子で捉えた被写体像や撮影に関する各種の情報を背面に設けた表示モニタに表示するカメラが知られている。このカメラでは、順光状態や逆光状態といった周囲の光の状況に合わせて表示モニタの表示輝度を制御している（特許文献１参照）。
【０００３】
【特許文献１】特開２００４−１５５９７号公報
【発明の開示】
【発明が解決しようとする課題】
【０００４】
しかし、従来のカメラでは、逆光時に太陽光などが照射された撮影者の顔面が表示モニタの保護ガラス面などに映り込んでしまうため、表示モニタの視認性が悪化する恐れがある。
【課題を解決するための手段】
【０００５】
（１）  請求項１の発明によるカメラは、被写体像を撮像する撮像手段と、カメラの筐体に設けられた表示装置と、表示装置の表示面が向けられた方向の輝度分布を測定する輝度分布測定手段と、輝度分布測定手段で測定した輝度分布の中の第１領域の輝度と、第１領域の周辺の第２領域の輝度との高低関係を判定する判定手段と、判定手段の判定結果に基づいて表示装置の輝度値を設定する輝度設定手段と、輝度設定手段で設定された輝度値で画面表示されるように表示装置を制御する表示制御手段とを備えることを特徴とする。
（２）  請求項２の発明は、請求項１に記載のカメラにおいて、輝度設定手段は、第１領域の輝度が、第２領域の輝度よりも低いと判定手段で判定された場合は、輝度値を第１の値に設定し、第１領域の輝度が、第２領域の輝度よりも高いと判定手段で判定された場合は、輝度値を第１の値よりも大きい第２の値に設定することを特徴とする。
（３）  請求項３の発明は、請求項２に記載のカメラにおいて、輝度設定手段は、第１領域の輝度が、第２領域の輝度よりも低いと判定手段で判定された場合であっても、第２領域の輝度があらかじめ定められた値より高い場合は、輝度値を第１の値よりも高い第３の値に設定することを特徴とする。
（４）  請求項４の発明は、請求項１に記載のカメラにおいて、カメラの周囲の明るさを検出する周囲明るさ検出手段をさらに備え、輝度設定手段は、周囲明るさ検出手段で検出したカメラの周囲の明るさが所定のしきい値よりも低い場合には、判定手段の判定に関わらず、輝度値を第１の値、または、第１の値よりも低い第４の値に設定し、輝度設定手段は、周囲明るさ検出手段で検出したカメラの周囲の明るさが所定のしきい値よりも高い場合には、判定手段の判定結果に基づいて、表示装置の輝度値を設定することを特徴とする。
（５）  請求項５の発明は、請求項４に記載のカメラにおいて、ユーザの操作入力に基づいて所定のしきい値を変更するしきい値変更手段を更に備えることを特徴とする。
（６）  請求項６の発明は、請求項４に記載のカメラにおいて、周囲明るさ検出手段は、撮像手段であり、撮像手段の出力に基づいてカメラの周囲の明るさを検出することを特徴とする。
（７）  請求項７の発明は、請求項４に記載のカメラにおいて、周囲明るさ検出手段は、輝度分布測定手段であり、輝度分布測定手段で測定した第１領域の輝度と第２領域の輝度との少なくとも一方に基づいてカメラの周囲の明るさを検出することを特徴とする。
（８）  請求項８の発明は、請求項１に記載のカメラにおいて、第１領域は、輝度分布測定手段で測定される測定エリアの中央近傍部分であることを特徴とする。
（９）  請求項９の発明によるカメラは、カメラの筐体の前面の被写体像を撮像する撮像手段と、筐体の背面に設けられた表示装置と、背面の明るさを検出する背面明るさ検出手段と、撮像手段の出力と、背面明るさ検出手段で検出した背面の明るさとに基づいて、表示装置の輝度値を決定する輝度値決定手段と、輝度値決定手段で決定された輝度値に表示装置の輝度値を設定する輝度設定手段と、輝度設定手段で設定された輝度値で画面表示されるように表示装置を制御する表示制御手段とを備えることを特徴とする。
（１０）  請求項１０の発明は、請求項９に記載のカメラにおいて、輝度値決定手段は、撮像手段の出力と、背面明るさ検出手段で検出した背面の明るさとに基づいて、逆光状態であるか否かを判断し、順光状態であると判断されると、輝度値を第１の値に決定し、逆光状態であると判断されると、輝度値を第１の値よりも高い第２の値に決定することを特徴とする。
（１１）  請求項１１の発明は、請求項１０に記載のカメラにおいて、輝度値決定手段は、撮像手段の出力と、背面明るさ検出手段で検出した背面の明るさとに基づいて、順光状態であると判定した場合であっても、背面明るさ検出手段で検出した背面の明るさがあらかじめ定められた明るさよりも明るい場合には、輝度値を第１の値よりも高い第３の値に決定することを特徴とする。
（１２）  請求項１２の発明は、請求項９に記載のカメラにおいて、カメラの周囲の明るさを検出する周囲明るさ検出手段をさらに備え、輝度設定手段は、周囲明るさ検出手段で検出したカメラの周囲の明るさが所定のしきい値よりも低い場合には、輝度値決定手段の決定に関わらず、表示装置の輝度値を第１の値、または、第１の値よりも低い第４の値に設定し、輝度設定手段は、周囲明るさ検出手段で検出したカメラの周囲の明るさが所定のしきい値よりも高い場合には、輝度値決定手段の決定結果に基づいて、表示装置の輝度値を設定することを特徴とする。
（１３）  請求項１３の発明は、請求項１２に記載のカメラにおいて、ユーザの操作入力に基づいて所定のしきい値を変更するしきい値変更手段を更に備えることを特徴とする。
（１４）  請求項１４の発明は、請求項１２に記載のカメラにおいて、周囲明るさ検出手段は、撮像手段であり、撮像手段の出力に基づいてカメラの周囲の明るさを検出することを特徴とする。
（１５）  請求項１５の発明は、請求項１２に記載のカメラにおいて、周囲明るさ検出手段は、背面明るさ検出手段であり、背面明るさ検出手段で検出した背面の明るさに基づいてカメラの周囲の明るさを検出することを特徴とする。
（１６）  請求項１６の発明によるカメラは、被写体像を撮像する撮像手段と、カメラの筐体に設けられた表示装置と、撮像手段で撮像された被写体像に基づいて被写体像中の人物の顔面部を認識する顔認識手段と、顔認識手段で認識された人物の顔面部の領域と、顔面部の周囲の領域との明るさの差に基づいて、表示装置の輝度値を決定する輝度値決定手段と、輝度値決定手段で決定された輝度値に表示装置の輝度値を設定する輝度設定手段と、輝度設定手段で設定された輝度値で画面表示されるように表示装置を制御する表示制御手段とを備えることを特徴とする。
（１７）  請求項１７の発明は、請求項１６に記載のカメラにおいて、輝度値決定手段は、顔認識手段で認識された人物の顔面部の領域と、顔面部の周囲の領域との明るさの差に基づいて、逆光状態であるか否かを判断し、順光状態であると判断されると、輝度値を第１の値に決定し、逆光状態であると判断されると、輝度値を第１の値よりも高い第２の値に決定することを特徴とする。
（１８）  請求項１８の発明は、請求項１７に記載のカメラにおいて、輝度値決定手段は、顔認識手段で認識された人物の顔面部の領域と、顔面部の周囲の領域との明るさの差に基づいて、順光状態であると判定された場合であっても、顔認識手段で認識された顔面部の周囲の領域の明るさがあらかじめ定められた明るさよりも明るい場合には、輝度値を第１の値よりも高い第３の値に決定することを特徴とする。
（１９）  請求項１９の発明は、請求項１６に記載のカメラにおいて、カメラの周囲の明るさを検出する周囲明るさ検出手段をさらに備え、輝度設定手段は、周囲明るさ検出手段で検出したカメラの周囲の明るさが所定のしきい値よりも低い場合には、輝度値決定手段の決定に関わらず、表示装置の輝度値を第１の値、または、第１の値よりも低い第４の値に設定し、輝度設定手段は、周囲明るさ検出手段で検出したカメラの周囲の明るさが所定のしきい値よりも高い場合には、輝度値決定手段の決定結果に基づいて、表示装置の輝度値を設定することを特徴とする。
（２０）  請求項２０の発明は、請求項１９に記載のカメラにおいて、ユーザの操作入力に基づいて所定のしきい値を変更するしきい値変更手段を更に備えることを特徴とする。
（２１）  請求項２１の発明は、請求項１９に記載のカメラにおいて、周囲明るさ検出手段は、撮像手段であり、撮像手段の出力に基づいてカメラの周囲の明るさを検出することを特徴とする。
（２２）  請求項２２の発明による電子機器は、筐体に設けられた表示装置と、表示装置の表示面が向けられた方向の輝度分布を測定する輝度分布測定手段と、輝度分布測定手段で測定した輝度分布中の第１領域の輝度と、第１領域の周辺の第２領域の輝度との高低関係を判定する判定手段と、判定手段の判定結果に基づいて表示装置の輝度値を設定する輝度設定手段と、輝度設定手段で設定された輝度値で画面表示されるように表示装置を制御する表示制御手段とを備えることを特徴とする。
【発明の効果】
【０００６】
本発明によれば、表示装置の視認性を向上できる。
【発明を実施するための最良の形態】
【０００７】
−−−第１の実施の形態−−−
図１〜９を参照して、本発明によるカメラの第１の実施の形態を説明する。図１（ａ）は、本発明を適用した第１の実施の形態のカメラを正面（前側）から見た斜視図であり、図１（ｂ）は、背面（後側）から見た斜視図である。なお、説明の便宜上、図示のようにカメラの上下左右方向および前後方向を規定する。
【０００８】
このカメラ１は、高さ方向（上下方向）よりも幅方向（左右方向）が長く、かつ厚さ（前後方向長さ）が薄い薄型カメラであり、その前後面、上下面、および左右側面は、それぞれが互いに略平行に形成され、全体が略直方体形状をなしている。カメラ１の筐体であるカメラボディ１０には、上面右側にレリーズボタン２が設けられ、前面左上部に、撮影レンズ用の窓部３と、被写体に光を照射する発光部４とが設けられている。
【０００９】
カメラボディ１０の後面には、ズームレバー５と、十字操作キー６と、表示モニタ７と、ＤＥＬボタン９ａと、ＭＥＮＵボタン９ｂと、ＭＯＤＥボタン９ｃと、ＰＬＡＹボタン９ｄと、測光センサ１５３とが設けられている。カメラ１の撮像光学系は、窓部３から入射した被写体光束を高さ方向に屈折させる屈折光学系として構成されている。
【００１０】
レリーズボタン２は、レリーズ操作を行うための操作ボタンである。ズームレバー５は、不図示のレンズ鏡筒に配置される撮像光学系の焦点距離の変更操作を行うための操作レバーであり、左右端の押圧操作が可能である。十字操作キー６は、各種メニューの項目等を選択するための操作ボタンであり、上下左右方向および圧下方向に操作可能である。
【００１１】
表示モニタ７は、たとえば非自発光型の液晶表示装置（ＬＣＤ）であり、表示内容を表示するための表示モジュール７ａと、表示モジュール７ａを照光するバックライト７ｂとを備えている。表示モニタ７は、撮像して得られた画像や各種のメニュー画面を表示する表示モニタとして働くほか、撮像時に、被写体の画像（スルー画）を表示する電子ファインダとして働く。
【００１２】
ＤＥＬボタン９ａは、撮像して得た画像を消去する際に操作される操作ボタン（消去ボタン）である。ＭＥＮＵボタン９ｂは、各種機能を設定するメニュー画面を表示モニタ７に表示させる際に操作される操作ボタンである。ＭＯＤＥボタン９ｃは、撮像モードの選択の際に操作される操作ボタンである。ＰＬＡＹボタン９ｄは、撮像済みの画像を表示モニタ７に表示させる際などに操作される操作ボタン（再生ボタン）である。
【００１３】
測光センサ１５３は、表示モニタ７の表示面が向けられている方向、すなわち、カメラ１の背面の輝度分布を測定する測定するセンサである。測光センサ１５３によるカメラ１の背面の輝度分布測定については後述する。
【００１４】
図２は、カメラ１の構成を説明するブロック図である。演算回路１０１は、マイクロコンピュータなどによって構成される。演算回路１０１は、後述する各部から出力される信号を入力して所定の演算を行い、演算結果に基づく制御信号を各部へ出力する。演算回路１０１と後述する各部とは互いに接続されている。
【００１５】
撮像素子２０２は、ＣＣＤイメージセンサなどによって構成される。撮像素子２０２は、不図示のレンズ鏡筒のレンズを通過した被写体光による像を撮像し、撮像信号を画像処理部１２３へ出力する。画像処理部１２３は、Ａ／Ｄ変換回路やＡＳＩＣなどによって構成される。画像処理部１２３は、アナログ撮像信号をディジタル信号に変換して、ディジタル変換後の画像データにホワイトバランス処理などの画像処理を行うほか、画像処理後の画像データを所定の形式で圧縮する圧縮処理、圧縮された画像データを伸長する伸長処理などを行う。
【００１６】
レリーズスイッチ１４１は、レリーズボタン２に連動してレリーズ操作信号を演算回路１０１に出力する。レリーズ操作信号には、レリーズボタン２の半押し操作に対応する半押し操作信号と、半押し操作より深く押下される全押し操作に対応する全押し操作信号とがある。
【００１７】
ＤＥＬスイッチ１４３、ＭＥＮＵスイッチ１４４、ＭＯＤＥスイッチ１４５、およびＰＬＡＹスイッチ１４６は、それぞれＤＥＬボタン９ａ、ＭＥＮＵボタン９ｂ、ＭＯＤＥボタン９ｃ、およびＰＬＡＹボタン９ｄが押圧操作されると操作信号を演算回路１０１に出力する。
【００１８】
十字キースイッチ１４７は、十字操作キー６の操作に応じた信号を演算回路１０１に出力する。十字操作キー６の上部が押圧されると、十字キースイッチ１４７は上方向信号を出力する。十字操作キー６の下部が押圧されると、十字キースイッチ１４７は下方向信号を出力する。十字操作キー６の右部が押圧されると、十字キースイッチ１４７は右方向信号を出力する。十字操作キー６の左部が押圧されると、十字キースイッチ１４７は左方向信号を出力する。十字操作キー６が圧下されると、十字キースイッチ１４７は圧下信号を出力する。
【００１９】
ズームスイッチ１５１は、ズームレバー５の操作に応じた信号を演算回路１０１に出力する。ズームレバー５の右端が押圧操作されるとズームスイッチ１５１は望遠指示信号を出力し、ズームレバー５の左端が押圧操作されると第１ズームスイッチ１５１は広角指示信号を出力する。測光センサ１５３は、輝度分布の測定結果を表す信号を演算回路１０１に出力する。
【００２０】
表示制御部１６１は、演算回路１０１から出力される信号に基づいて、表示モジュール７ａの表示制御を行う制御部である。バックライト駆動部１６２は、表示モニタ７のバックライト７ｂを駆動する回路であり、演算回路１０１から出力される信号に基づいて、バックライト７ｂの明るさ（輝度）を制御する。
【００２１】
レンズ駆動制御部１６３は、演算回路１０１から出力される信号に基づいて、合焦動作や焦点距離変更動作を行うように不図示のレンズ鏡筒のレンズ群を駆動する。発光装置１６４は、演算回路１０１から出力される信号に基づいて、発光部４に対する発光開始および発光停止を指示して発光制御を行う。記録媒体装着部１６５は、不図示の記録媒体を着脱可能に保持し、装着された記録媒体に記録されたデータの読み込みや消去、記録媒体へのデータの書き込みを行う。記録媒体には、画像処理後の画像データが記録される。
【００２２】
このように構成されるカメラ１では、被写体像の撮像や、撮像された画像の表示モニタ７への表示ができる。カメラ１は携帯されて屋外や屋内の様々な場所で使用されるが、場所や時間帯などによって環境光の状態が異なり、カメラ１の周囲の明るさや環境光の光源との位置関係が異なる。したがって、表示モニタ７の視認性を向上させるために周囲の明るさや環境光の光源との位置関係に応じてバックライト７ｂの明るさを変更する必要がある。そこで、本実施の形態のカメラ１では、以下のようにバックライト７ｂの明るさを変更することで、表示モニタ７の画面表示の明るさを上昇させる。
【００２３】
−−−環境光の状態と表示モニタ７の視認性について−−−
図３は、順光状態における、環境光の光源（たとえば太陽）と、カメラ１と、被写体と、撮影者（ユーザ）との位置関係を示す図である。図３に示すように、順光状態では、カメラ１の背面に光源が位置するので、光源からの光が表示モニタ７の表示面や保護ガラスの表面で反射する。そのため、環境光の光源からの光が強い場合には、表示モニタ７の視認性が低下する。
【００２４】
図４は、逆光状態における、環境光の光源と、カメラ１と、被写体と、撮影者との位置関係を示す図である。図４に示すように、逆光状態では、カメラ１の前面に光源が位置するので、光源からの光が撮影者に直接照射されて、表示モニタ７の表示面や保護ガラスの表面に撮影者の顔が映り込む。そのため、環境光の光源からの光が強い場合には、表示モニタ７の視認性が低下する。
【００２５】
このように、環境光の光源とカメラ１との位置関係によって表示モニタ７の視認性が低下する場合があるが、カメラ１のような撮像装置では、被写体が存在するため、カメラ１（撮像装置）の向きを変えることは容易ではない。
【００２６】
そこで、本実施の形態のカメラ１では、測光センサ１５３を用いて環境光の状態を検出し、表示モニタ７の視認性が低下すると判断される状況では、バックライト７ｂの明るさ（輝度）を上昇させる。具体的には、以下に説明するように、測光センサ１５３により、撮影者の顔面と推定される領域の輝度と、その周辺の輝度とを測定する。そして、測定結果に基づいて、順光状態であるか、逆光状態であるかを判定するとともに、環境光の光源からの光の強弱を加味してバックライト７ｂの輝度を上昇させる。
【００２７】
−−−測光センサ１５３の構造−−−
図５は、測光センサ１５３の構成を概念的に示す図である。測光センサ１５３は、検出素子１５３ａと、レンズ１５３ｂとを備えている。検出素子１５３ａは、受光面に光が入射すると、入射光の強度に応じた電流を出力する光電変換素子であり、たとえば、シリコン・フォト・ダイオード（ＳＰＤ）などが用いられる。検出素子１５３ａは、たとえば、図６（ａ）に示すように、受光面略中央の中央測光エリア１５３ｃと、中央測光エリアの外側の周辺測光エリア１５３ｄとを有する。
【００２８】
なお、図６（ａ）に示した検出素子１５３ａの測光エリアの形状は、一例である。図６（ａ）に示すような、受光面略中央に位置する中央測光エリア１５３ｃと、中央測光エリア１５３ｃの外側の全周を囲む周辺測光エリア１５３ｄとを設けることは必須ではない。たとえば、図６（ｂ）に示すように、受光面略中央に位置して下面が測光エリアの下面に接する第１測光エリアと、たとえば、第１測光エリアに隣接して第１測光エリアの一部を囲む第２測光エリアとを設けてもよい。少なくとも、後述するように、撮影者の顔面と推定される部分の輝度と、撮影者の顔面と推定される部分の周辺の輝度とをそれぞれ検出できれば、検出素子１５３ａの測光エリアの形状は、特に限定されない。
【００２９】
レンズ１５３ｂは、カメラ１の背面からの光を検出素子１５３ａの受光面に集光するためのレンズである。カメラ１の背面からの光は、レンズ１５３ｂによって次のように集光される。図７は、カメラ１と、被写体と、撮影者との位置関係を示す図であり、図７（ａ）は上面図であり、図７（ｂ）は側面図である。一般的な撮影状態では、カメラ１の後面から表示モニタ７を観察する撮影者までの距離ｌは、１５〜４０ｃｍ程度である。
【００３０】
撮影者の顔面の横幅Ｈｘおよび長さＨｙをそれぞれ約１４ｃｍおよび約２５ｃｍとすると、表示モニタ７の後面の中心から後方に向かう軸を中心とした左右方向の角度範囲θｘとして約２０〜５０度、上下方向の角度範囲θｙとして約３５〜８０度の範囲内に撮影者の顔面が位置することになる。そこで、本実施の形態のカメラ１では、縦位置撮影の場合も考慮して、表示モニタ７の後面の中心から後方に向かう軸を中心とした角度範囲略２０度の範囲内からの光を、レンズ１５３ｂによって検出素子１５３ａの中央測光エリア１５３ｃに集光する。また、表示モニタ７の後面の中心から後方に向かう軸を中心とした角度範囲略２０度の範囲外からの光を、レンズ１５３ｂによって検出素子１５３ａの周辺測光エリア１５３ｄに集光する。したがって、測光センサ１５３では、撮影者の顔面と推定される領域（部分）の輝度を中央測光エリア１５３ｃで検出し、撮影者の顔面と推定される部分の周辺領域の輝度を周辺測光エリア１５３ｄで検出することができる。すなわち、測光センサ１５３によってカメラ１の背面の輝度分布を測定することができる。
【００３１】
−−−順光状態および逆光状態の判定−−−
図３に示すように順光状態にある場合、環境光の光源が撮影者の後方に位置することとなる。そのため、カメラ１から撮影者を見た場合、撮影者の顔面の輝度は、周辺の輝度（カメラ１から撮影者を見た場合の撮影者の背景の輝度）よりも低くなる。すなわち、図８（ａ）に示すように、中央測光エリア１５３ｃで検出される撮影者の顔面と推定される部分の輝度（顔面輝度）Ｂａは、周辺測光エリア１５３ｄで検出される撮影者の顔面と推定される部分の周辺の輝度（周辺輝度）Ｂｂよりも低くなる。このように、順光状態では、Ｂａ＜Ｂｂとなる。
【００３２】
また、図４に示すように逆光状態にある場合、環境光の光源が撮影者の前方に位置することとなる。そのため、カメラ１から撮影者を見た場合、撮影者の顔面の輝度は、周辺の輝度よりも高くなる。すなわち、図８（ｂ）に示すように、中央測光エリア１５３ｃで検出される顔面輝度Ｂａは、周辺測光エリア１５３ｄで検出される周辺輝度Ｂｂよりも高くなる。このように、逆光状態では、Ｂｂ＜Ｂａとなる。
【００３３】
そこで、本実施の形態のカメラ１では、演算回路１０１は、測光センサ１５３からの検出信号に基づいて、顔面輝度Ｂａと、周辺輝度Ｂｂとの大小関係を比較する。そして、演算回路１０１は、Ｂａ＜Ｂｂであれば順光状態であると判断し、Ｂｂ＜Ｂａであれば逆光状態であると判断する。
【００３４】
−−−バックライト７ｂの輝度制御について−−−
カメラ１の不図示の電源スイッチがオンされてカメラ１が起動されると、以下に述べるバックライト７ｂの輝度制御が行われるまでは、あらかじめ定められた所定の輝度Ｂでバックライト７ｂが点灯する。すなわち、カメラ１が起動されると、演算回路１０１は、通常の輝度Ｂでバックライト７ｂが点灯するよう、バックライト駆動部１６２を制御する。バックライト駆動部１６２は、輝度Ｂで点灯するよう、バックライト７ｂを駆動する。ここで、輝度Ｂは、表示モニタ７の視認性と、省電力の観点からあらかじめ定められた輝度である。
【００３５】
（１）  周囲が明るい場合（環境光の光源からの光が強い場合）
（１−１）逆光状態
上述したように、環境光の光源からの光が強く、かつ、逆光状態となる場合には、環境光の光源によって表示モニタ７の視認性が低下する。そこで、演算回路１０１は、環境光の光源からの光の強さが表示モニタ７の視認性に悪影響を及ぼすほど強いか否かを判断する。具体的には、演算回路１０１は、検出された周辺輝度Ｂｂが所定の輝度ａ２を超えていれば、環境光の光源からの光の強さが表示モニタ７の視認性に悪影響を及ぼすほど強いと判断する。
【００３６】
演算回路１０１は、検出された周辺輝度Ｂｂが所定の輝度ａ２を超えている場合に、上述したように逆光状態であると判断すると、通常の輝度（輝度Ｂ）よりも高い輝度（輝度Ｃ）でバックライト７ｂが点灯するよう、バックライト駆動部１６２を制御する。すなわち、演算回路１０１は、検出された周辺輝度Ｂｂが所定の輝度ａ２を超えている場合に、上述したように逆光状態であると判断すると、バックライト７ｂの輝度レベルを輝度Ｃに変更するよう、バックライト駆動部１６２を制御する。バックライト駆動部１６２は、輝度Ｃで点灯するよう、バックライト７ｂを駆動する。その結果、表示モニタ７の表示画面の輝度が上昇するので、表示モニタ７の視認性が向上する。
【００３７】
（１−２）順光状態
なお、順光状態では、環境光の光源からの光の強さが逆光状態で表示モニタ７の視認性に悪影響を及ぼすほど強い場合であっても、換言すれば、検出された周辺輝度Ｂｂが所定の輝度ａ２を超えていても、表示モニタ７の視認性が逆光状態のときほど悪化しない。すなわち、順光状態では、さらに環境光の光源からの光が強い場合に、表示モニタ７の視認性が悪化する。したがって、演算回路１０１は、検出された周辺輝度Ｂｂが所定の輝度ａ２を超えている場合に、上述したように順光状態であると判断すると、検出された周辺輝度Ｂｂが輝度ａ２よりも高い所定の輝度ａ３を超えているか否かを判断する。
【００３８】
演算回路１０１は、検出された周辺輝度Ｂｂが所定の輝度ａ３を超え、かつ、上述したように順光状態であると判断すると、輝度Ｃでバックライト７ｂが点灯するよう、バックライト駆動部１６２を制御する。バックライト駆動部１６２は、輝度Ｃで点灯するよう、バックライト７ｂを駆動する。その結果、表示モニタ７の表示画面の輝度が上昇するので、表示モニタ７の視認性が向上する。
【００３９】
なお、演算回路１０１は、検出された周辺輝度Ｂｂが所定の輝度ａ２を超え、かつ、上述したように順光状態であると判断しても、検出された周辺輝度Ｂｂが所定の輝度ａ３以下であると判断すると、輝度Ｂでバックライト７ｂが点灯するよう、バックライト駆動部１６２を制御する。バックライト駆動部１６２は、輝度Ｂで点灯するよう、バックライト７ｂを駆動する。その結果、表示モニタ７の表示画面の輝度は通常の状態と同じになるが、上述したように、順光状態では環境光の光源からの光によって表示モニタ７の視認性がそれほど悪化しないため、撮影者は、表示モニタ７に表示される画像を確実に視認できる。
【００４０】
（２）  周囲が適度に明るい場合（環境光の光源からの光がさほど強くない場合）
環境光の光源からの光の強さが表示モニタ７の視認性に悪影響を及ぼすほど強くはない場合には、すなわち、検出された周辺輝度Ｂｂが所定の輝度ａ２以下の場合には、表示モニタ７の視認性向上のためにバックライト７ｂの輝度を上昇させる必要はない。そこで、演算回路１０１は、検出された周辺輝度Ｂｂが所定の輝度ａ２以下であると判断すると、輝度Ｂでバックライト７ｂが点灯するよう、バックライト駆動部１６２を制御する。バックライト駆動部１６２は、輝度Ｂで点灯するよう、バックライト７ｂを駆動する。その結果、表示モニタ７の表示画面の輝度は通常の状態と同じになるが、上述したように、環境光の光源からの光によって表示モニタ７の視認性が悪化しないため、撮影者は、表示モニタ７に表示される画像を確実に視認できる。
【００４１】
（３）  周囲が暗い場合（環境光の光源からの光が弱い場合）
なお、環境光の光源からの光が弱く、周囲が暗い場合には、撮影者の目が暗順応するため、表示モニタ７の表示画面の輝度を通常の状態よりも低下させたとしても視認性が低下することはない。また、省電力の観点からも表示モニタ７の表示画面の輝度を通常の状態よりも低下させることが望ましく、逆に表示モニタ７の表示画面の輝度を通常の状態と同じにすると、撮影者が表示モニタ７をまぶしく感じる場合がある。
【００４２】
そこで、演算回路１０１は、検出された周辺輝度Ｂｂが上述した輝度ａ２よりも低い所定の輝度ａ１以下であると判断すると、輝度Ｂよりも低い輝度（輝度Ａ）でバックライト７ｂが点灯するよう、バックライト駆動部１６２を制御する。バックライト駆動部１６２は、輝度Ａで点灯するよう、バックライト７ｂを駆動する。その結果、表示モニタ７の表示画面の輝度は通常の状態よりも低下するが、上述したように、撮影者の目が暗順応するため、表示モニタ７の視認性が低下することはない。
【００４３】
なお、朝や夕方と昼間とでは、太陽の高さ（仰角）が異なるため、太陽の仰角が大きい昼間は、極端な順光／逆光が生じず、さほど積極的に表示モニタ７の輝度を上昇させる必要はない。逆に、太陽の仰角が小さい朝や夕方には極端な順光／逆光が生じるため積極的に表示モニタ７の輝度を上昇させる必要がある。また、朝や夕方と昼間とでは、撮影者の明順応の度合いが異なるので、表示モニタ７の輝度を上昇させる際の条件を朝や夕方と昼間とで変更することが望ましい。そのため、朝や夕方と昼間とでは、上述した輝度ａ１〜ａ３の値を適宜変更することが望ましい。
【００４４】
朝や夕方と昼間とでは、屋外の環境光の色温度が異なるため、環境光の色温度に基づいて、上述した輝度ａ１〜ａ３の値を変更してもよい。そこで、本実施の形態のカメラ１では、演算回路１０１は、撮像素子２０２で撮像して得られるスルー画に基づいて環境光の色温度を推定する。そして、演算回路１０１は、推定した色温度に基づいて、あらかじめ記憶している輝度ａ１〜ａ３の値のマップから適宜輝度ａ１〜ａ３の値を読み込んで、上述したバックライト７ｂの輝度制御に際して用いる輝度ａ１〜ａ３の値として設定する。したがって、上述したバックライト７ｂの輝度制御の際には、環境光の色温度に応じて設定された輝度ａ１〜ａ３に基づいて判断されることとなる。上述した輝度ａ１〜ａ３は、表示モニタ７の視認性に関する、カメラ１の周辺の明るさのしきい値であるといえる。
【００４５】
−−−バックライト７ｂの輝度変更のタイミング−−−
撮影の際の構図確認時以外は、省電力のため、カメラ１の電源がオンされている場合であっても、バックライト７ｂの輝度を上昇させないことが望ましい。しかし、撮影の際の構図確認時は、直ちにバックライト７ｂの輝度を変更して、表示モニタ７の視認性を向上させることが望ましい。そこで、本実施の形態のカメラ１では、レリーズボタン２が半押し操作されると、上述したように表示モニタ７の輝度が変更される。
【００４６】
−−−フローチャート−−−
図９は、上述したバックライト７ｂの輝度変更処理を行うプログラムの処理内容を示すフローチャートである。不図示の電源スイッチがオンされた後、レリーズボタン２が半押し操作されて、レリーズスイッチ１４１からの半押し操作信号を受信する度に、この処理を行うプログラムが起動されて、演算回路１０１で実行される。
【００４７】
ステップＳ１において、輝度分布の測定結果を測光センサ１５３から受信する。すなわち、ステップＳ１において、測光センサ１５３から顔面輝度Ｂａおよび周辺輝度Ｂｂの値を読み込む。ステップＳ１が実行されるとステップＳ３へ進み、撮像素子２０２からのスルー画の撮像信号に基づいて、環境光の色温度を推定してステップＳ５へ進む。ステップＳ５において、ステップＳ３で推定した環境光の色温度に基づいて、あらかじめ記憶している輝度ａ１〜ａ３の値のマップから輝度ａ１〜ａ３の値を読み込み、以下の判断に際して用いる輝度ａ１〜ａ３の値として設定してステップＳ７へ進む。
【００４８】
ステップＳ７において、ステップＳ１で読み込んだ周辺輝度ＢｂがステップＳ５で設定した輝度ａ１よりも低いか否かを判断する。ステップＳ７が否定判断されるとステップＳ９へ進み、ステップＳ１で読み込んだ周辺輝度ＢｂがステップＳ５で設定した輝度ａ２よりも低いか否かを判断する。ステップＳ９が否定判断されるとステップＳ１１へ進み、ステップＳ１で読み込んだ周辺輝度ＢｂがステップＳ１で読み込んだ顔面輝度Ｂａよりも低いか否かを判断する。
【００４９】
ステップＳ１１が肯定判断されると、すなわち逆光であると判断されるとステップＳ１３へ進み、バックライト７ｂの輝度レベルを輝度Ｃに変更するよう、バックライト駆動部１６２を制御して処理を終了する。ステップＳ１１が否定判断されると、すなわち順光であると判断されるとステップＳ１５へ進み、ステップＳ１で読み込んだ周辺輝度ＢｂがステップＳ５で設定した輝度ａ３よりも高いか否かを判断する。ステップＳ１５が肯定判断されるとステップＳ１７へ進み、バックライト７ｂの輝度レベルを輝度Ｃに変更するよう、バックライト駆動部１６２を制御して処理を終了する。
【００５０】
ステップＳ１５が否定判断されるとステップＳ１９へ進み、バックライト７ｂの輝度レベルを輝度Ｂに変更するよう、バックライト駆動部１６２を制御して処理を終了する。
【００５１】
ステップＳ９が肯定判断されるとステップＳ２１へ進み、バックライト７ｂの輝度レベルを輝度Ｂに変更するよう、バックライト駆動部１６２を制御して処理を終了する。
【００５２】
ステップＳ７が肯定判断されるとステップＳ２３へ進み、バックライト７ｂの輝度レベルを輝度Ａに変更するよう、バックライト駆動部１６２を制御して処理を終了する。
【００５３】
上述した第１の実施の形態のカメラ１では、次の作用効果を奏する。
（１）  測光センサ１５３を用いて、顔面輝度Ｂａと周辺輝度Ｂｂとを検出し、顔面輝度Ｂａと周辺輝度Ｂｂとの高低関係を判断することで逆光状態であるか否かを判断して、バックライト７ｂの輝度レベルを設定するように構成した。これにより、逆光状態であるか順光状態であるかを容易に判断できるので、環境光の光源によって表示モニタ７の視認性に悪影響を及ぼすような場合であるか否かが容易に判断できる。したがって、環境光の光源によって表示モニタ７の視認性に悪影響を及ぼすような場合であっても、容易に表示モニタ７の表示画面の輝度を上昇できるので、表示装置の視認性を向上できる。特に、被写体が存在するために向きを容易に変えることができないカメラ１にとっては効果的である。
【００５４】
（２）  顔面輝度Ｂａが周辺輝度Ｂｂよりも高ければ逆光状態であると判断してバックライト７ｂの輝度を上昇させるように構成した。これにより、撮影者の前面に位置する光源から光が撮影者に直接照射されて、表示モニタ７の表示面や保護ガラスの表面にユーザの顔が映り込んでも、表示モニタ７の視認性を確保できる。
【００５５】
（３）  顔面輝度Ｂａが周辺輝度Ｂｂよりも低くても、周辺輝度Ｂｂが輝度ａ３よりも高ければ、バックライト７ｂの輝度を上昇させるように構成した。これにより、撮影者の後方に位置する光源から光が入射して表示モニタ７の表示面や保護ガラスの表面で反射しても、表示モニタ７の視認性を確保できる。また、輝度ａ３は、順光状態でバックライト７ｂの輝度を上昇させるか否かを判定するためのしきい値であるが、この輝度ａ３を輝度ａ２よりも高い値とした。これにより、順光状態であっても環境光の光源からの光によって表示モニタ７の視認性が低下する場合にのみバックライト７ｂの輝度が上昇するので、消費電力の不必要な増大を防止できる。
【００５６】
（４）  検出された周辺輝度Ｂｂが輝度ａ２以下である場合には、バックライト７ｂの輝度を上昇させず、さらに、検出された周辺輝度Ｂｂが輝度ａ１以下である場合には、バックライト７ｂの輝度を低下させるように構成した。これにより、表示モニタ７の視認性確保と消費電力の省電力化とを実現できる。
【００５７】
（５）  輝度ａ１〜ａ３の値を環境光の色温度に基づいて変更するように構成した。これにより、太陽の仰角の相違を考慮してバックライト７ｂの輝度を制御できるので、カメラ１のおかれた環境に適したバックライト７ｂの輝度制御ができ、表示モニタ７の視認性を確保できる。
【００５８】
（６）  測光センサ１５３を用いて、顔面輝度Ｂａと周辺輝度Ｂｂとを検出するように構成した。これにより、撮影者の顔面近傍の領域の輝度と、その周囲の領域の輝度とを容易に検出できるので、順光／逆光状態であるか否かの判断が容易となる。したがって、環境光の状態に応じてバックライト７ｂの輝度を的確に制御できるので、様々な環境下で表示モニタ７の視認性を確保できる。
【００５９】
（７）  測光センサ１５３において、撮影者の顔面と推定される部分の輝度を中央測光エリア１５３ｃで検出し、撮影者の顔面と推定される部分の周辺の輝度を周辺測光エリア１５３ｄで検出するように構成した。これにより、顔面輝度Ｂａと周辺輝度Ｂｂとを１つの測光センサ１５３で同時に検出できるようになり、測光センサ１５３の設置数を減らしてコストダウンが図られる。
【００６０】
（８）  レリーズボタン２が半押し操作されると、環境光の状態に応じて直ちに表示モニタ７の輝度が変更されるように構成した。これにより、表示モニタ７の確認が必要なときに表示モニタ７の輝度が直ちに変更されるので、表示モニタ７の視認性向上と消費電力抑制を両立できる。
【００６１】
−−−第２の実施の形態−−−
図１０，１１を参照して、本発明によるカメラの第２の実施の形態を説明する。以下の説明では、第１の実施の形態と同じ構成要素には同じ符号を付して相違点を主に説明する。特に説明しない点については、第１の実施の形態と同じである。本実施の形態では、主に、測光センサ１５３に代えて、カメラ１の背面全体の輝度を測定する測光センサ２５３を備え、撮像素子２０２からのスルー画と、測光センサ２５３の測定結果とに基づいて、逆光状態であるか否かを判断する点で、第１の実施の形態と異なる。
【００６２】
図１０は、第２の実施の形態のカメラ１の構成を説明するブロック図である。上述したように、カメラ１には、カメラ１の背面の輝度分布を測定可能な測光センサ１５３に代えて、カメラ１の背面全体の輝度を測定する測光センサ２５３が設けられている。測光センサ２５３は、カメラ１の背面の輝度分布を測定可能とするような構造を有してはおらず、単にカメラ１の背面全体の輝度を測定するだけのものである。そのため、測光センサ２５３は測光センサ１５３と比べて安価である。測光センサ２５３は、第１の実施の形態のカメラ１と同様に、カメラボディ１０の後面に配設されている。
【００６３】
−−−順光状態および逆光状態の判定−−−
図３に示すように順光状態にある場合、環境光の光源が撮影者の後方に位置することとなる。そのため、測光センサ２５３で測定されるカメラ１の背面全体の輝度（背面輝度Ｂｒ）が高く、撮像素子２０２で撮像して得たスルー画全体の輝度（スルー画輝度Ｂｆ）は低くなる。また、図４に示すように逆光状態にある場合、環境光の光源が撮影者の前方に位置することとなる。そのため、測光センサ２５３で測定される背面輝度Ｂｒが低く、スルー画輝度Ｂｆが高くなる。
【００６４】
そこで、本実施の形態のカメラ１では、演算回路１０１は、背面輝度Ｂｒとスルー画輝度Ｂｆとの大小関係を比較する。そして、演算回路１０１は、Ｂｆ＜Ｂｒであれば順光状態であると判断し、Ｂｒ＜Ｂｆであれば逆光状態であると判断する。
【００６５】
−−−バックライト７ｂの輝度制御について−−−
カメラ１の不図示の電源スイッチがオンされてカメラ１が起動されると、以下に述べるバックライト７ｂの輝度制御が行われるまでは、第１の実施の形態と同様に、輝度Ｂでバックライト７ｂが点灯する。
【００６６】
（１）  周囲が明るい場合（環境光の光源からの光が強い場合）
（１−１）逆光状態
上述したように、環境光の光源からの光が強く、かつ、逆光状態となる場合には、環境光の光源によって表示モニタ７の視認性が低下する。そこで、演算回路１０１は、環境光の光源からの光の強さが表示モニタ７の視認性に悪影響を及ぼすほど強いか否かを判断する。具体的には、演算回路１０１は、検出された背面輝度Ｂｒが所定の輝度ｂ２を超えていれば、環境光の光源からの光の強さが表示モニタ７の視認性に悪影響を及ぼすほど強いと判断する。
【００６７】
演算回路１０１は、検出された背面輝度Ｂｒが所定の輝度ｂ２を超えている場合に、上述したように逆光状態であると判断すると、通常の輝度Ｂよりも高い輝度Ｃでバックライト７ｂが点灯するよう、バックライト駆動部１６２を制御する。すなわち、演算回路１０１は、検出された背面輝度Ｂｒが所定の輝度ｂ２を超えている場合に、上述したように逆光状態であると判断すると、バックライト７ｂの輝度レベルを輝度Ｃに変更するよう、バックライト駆動部１６２を制御する。バックライト駆動部１６２は、輝度Ｃで点灯するよう、バックライト７ｂを駆動する。その結果、表示モニタ７の表示画面の輝度が上昇するので、表示モニタ７の視認性が向上する。
【００６８】
（１−２）順光状態
上述したように、順光状態では、環境光の光源からの光の強さが逆光状態で表示モニタ７の視認性に悪影響を及ぼすほど強い場合であっても表示モニタ７の視認性がそれほど悪化しない。したがって、演算回路１０１は、検出された背面輝度Ｂｒが所定の輝度ｂ２を超えている場合に、上述したように順光状態であると判断すると、検出された背面輝度Ｂｒが輝度ｂ２よりも高い所定の輝度ｂ３を超えているか否かを判断する。
【００６９】
演算回路１０１は、検出された背面輝度Ｂｒが所定の輝度ｂ３を超え、かつ、上述したように順光状態であると判断すると、輝度Ｃでバックライト７ｂが点灯するよう、バックライト駆動部１６２を制御する。バックライト駆動部１６２は、輝度Ｃで点灯するよう、バックライト７ｂを駆動する。その結果、表示モニタ７の表示画面の輝度が上昇するので、表示モニタ７の視認性が向上する。
【００７０】
なお、演算回路１０１は、検出された背面輝度Ｂｒが所定の輝度ｂ２を超え、かつ、上述したように順光状態であると判断しても、検出された背面輝度Ｂｒが所定の輝度ｂ３以下であると判断すると、輝度Ｂでバックライト７ｂが点灯するよう、バックライト駆動部１６２を制御する。バックライト駆動部１６２は、輝度Ｂで点灯するよう、バックライト７ｂを駆動する。その結果、表示モニタ７の表示画面の輝度は通常の状態と同じになるが、上述したように、環境光の光源からの光によって表示モニタ７の視認性が悪化しないため、撮影者は、表示モニタ７に表示される画像を確実に視認できる。
【００７１】
（２）  周囲が適度に明るい場合（環境光の光源からの光がさほど強くない場合）
環境光の光源からの光の強さが表示モニタ７の視認性に悪影響を及ぼすほど強くない場合には、すなわち、検出された背面輝度Ｂｒが所定の輝度ｂ２以下の場合には、表示モニタ７の視認性向上のためにバックライト７ｂの輝度を上昇させる必要はない。そこで、演算回路１０１は、検出された背面輝度Ｂｒが所定の輝度ｂ２以下であると判断すると、輝度Ｂでバックライト７ｂが点灯するよう、バックライト駆動部１６２を制御する。バックライト駆動部１６２は、輝度Ｂで点灯するよう、バックライト７ｂを駆動する。その結果、表示モニタ７の表示画面の輝度は通常の状態と同じになるが、上述したように、環境光の光源からの光によって表示モニタ７の視認性が悪化しないため、撮影者は、表示モニタ７に表示される画像を確実に視認できる。
【００７２】
（３）  周囲が暗い場合（環境光の光源からの光が弱い場合）
なお、環境光の光源からの光が弱く、周囲が暗い場合には、撮影者の目が暗順応するため、表示モニタ７の表示画面の輝度を通常の状態よりも低下させたとしても視認性が低下することはない。また、省電力の観点からも表示モニタ７の表示画面の輝度を通常の状態よりも低下させることが望ましく、逆に表示モニタ７の表示画面の輝度を通常の状態と同じにすると、撮影者が表示モニタ７をまぶしく感じる場合がある。
【００７３】
そこで、演算回路１０１は、検出された背面輝度Ｂｒが上述した輝度ｂ２よりも低い所定の輝度ｂ１以下であると判断すると、輝度Ｂよりも低い輝度Ａでバックライト７ｂが点灯するよう、バックライト駆動部１６２を制御する。バックライト駆動部１６２は、輝度Ａで点灯するよう、バックライト７ｂを駆動する。その結果、表示モニタ７の表示画面の輝度は通常の状態よりも低下するが、上述したように、撮影者の目が暗順応するため、表示モニタ７の視認性が低下することはない。
【００７４】
なお、第１の実施の形態と同じ理由により、上述した輝度ｂ１〜ｂ３の値を適宜変更することが望ましい。そこで、本実施の形態のカメラ１では、演算回路１０１は、撮像素子２０２で撮像して得られるスルー画に基づいて環境光の色温度を推定する。そして、演算回路１０１は、推定した色温度に基づいて、あらかじめ記憶している輝度ｂ１〜ｂ３の値のマップから適宜輝度ｂ１〜ｂ３の値を読み込んで、上述したバックライト７ｂの輝度制御に際して用いる輝度ｂ１〜ｂ３の値として設定する。したがって、上述したバックライト７ｂの輝度制御の際には、環境光の色温度に応じて設定された輝度ｂ１〜ｂ３に基づいて判断されることとなる。上述した輝度ｂ１〜ｂ３は、表示モニタ７の視認性に関する、カメラ１の周辺の明るさのしきい値であるといえる。
【００７５】
−−−バックライト７ｂの輝度変更のタイミング−−−
本実施の形態のカメラ１では、第１の実施の形態と同様に、レリーズボタン２が半押し操作されると、上述したように表示モニタ７の輝度が変更されるように構成されている。
【００７６】
−−−フローチャート−−−
図１１は、上述したバックライト７ｂの輝度変更処理を行うプログラムの処理内容を示すフローチャートである。不図示の電源スイッチがオンされた後、レリーズボタン２が半押し操作されて、レリーズスイッチ１４１からの半押し操作信号を受信する度に、この処理を行うプログラムが起動されて、演算回路１０１で実行される。
【００７７】
ステップＳ３１において、背面輝度Ｂｒの値とスルー画輝度Ｂｆの値とを読み込んでステップＳ３３へ進む。ステップＳ３３において、撮像素子２０２からのスルー画の撮像信号に基づいて、環境光の色温度を推定してステップＳ３５へ進む。ステップＳ３５において、ステップＳ３３で推定した環境光の色温度に基づいて、あらかじめ記憶している輝度ｂ１〜ｂ３の値のマップから輝度ｂ１〜ｂ３の値を読み込み、以下の判断に際して用いる輝度ｂ１〜ｂ３の値として設定してステップＳ３７へ進む。
【００７８】
ステップＳ３７において、ステップＳ３１で読み込んだ背面輝度ＢｒがステップＳ３５で設定した輝度ｂ１よりも低いか否かを判断する。ステップＳ３７が否定判断されるとステップＳ３９へ進み、ステップＳ３１で読み込んだ背面輝度ＢｒがステップＳ３５で設定した輝度ｂ２よりも低いか否かを判断する。ステップＳ３９が否定判断されるとステップＳ４１へ進み、ステップＳ３１で読み込んだ背面輝度ＢｒがステップＳ３１で読み込んだスルー画輝度Ｂｆよりも低いか否かを判断する。
【００７９】
ステップＳ４１が肯定判断されると、すなわち逆光であると判断されるとステップＳ４３へ進み、バックライト７ｂの輝度レベルを輝度Ｃに変更するよう、バックライト駆動部１６２を制御して処理を終了する。ステップＳ４１が否定判断されると、すなわち順光であると判断されるとステップＳ４５へ進み、ステップＳ３１で読み込んだ背面輝度ＢｒがステップＳ３５で設定した輝度ｂ３よりも高いか否かを判断する。ステップＳ４５が肯定判断されるとステップＳ４７へ進み、バックライト７ｂの輝度レベルを輝度Ｃに変更するよう、バックライト駆動部１６２を制御して処理を終了する。
【００８０】
ステップＳ４５が否定判断されるとステップＳ４９へ進み、バックライト７ｂの輝度レベルを輝度Ｂに変更するよう、バックライト駆動部１６２を制御して処理を終了する。
【００８１】
ステップＳ３９が肯定判断されるとステップＳ５１へ進み、バックライト７ｂの輝度レベルを輝度Ｂに変更するよう、バックライト駆動部１６２を制御して処理を終了する。
【００８２】
ステップＳ３７が肯定判断されるとステップＳ５３へ進み、バックライト７ｂの輝度レベルを輝度Ａに変更するよう、バックライト駆動部１６２を制御して処理を終了する。
【００８３】
上述した第２の実施の形態のカメラ１では、第１の実施の形態の作用効果に加えて、次の作用効果を奏する。
（１）  測光センサ２５３で測定される背面輝度Ｂｒの値と、撮像素子２０２によって得られるスルー画輝度Ｂｆの値とに基づいて、バックライト７ｂの輝度レベルを設定するように構成した。これにより、測光センサ２５３の構成をより単純なものにできるので、コスト増を抑制できる。
【００８４】
−−−第３の実施の形態−−−
図１２，１３を参照して、本発明によるカメラの第３の実施の形態を説明する。以下の説明では、第１および第２の実施の形態と同じ構成要素には同じ符号を付して相違点を主に説明する。特に説明しない点については、第１および第２の実施の形態と同じである。本実施の形態では、主に、撮像素子２０２からのスルー画に基づいて、被写体の顔認識を行い、認識した顔部分の領域の輝度と、周囲の領域の輝度とを比較することで、逆光状態であるか否かを判定する点で、第１および第２の実施の形態と異なる。
【００８５】
第３の実施の形態のカメラ１の構成を説明するブロック図は、第２の実施の形態のカメラ１のブロック図と同じである。すなわち、第３の実施の形態のカメラ１には、測光センサ１５３ではなく、カメラ１の背面全体の輝度を測定する測光センサ２５３が設けられている。
【００８６】
−−−順光状態および逆光状態の判定−−−
図１２は、撮像素子２０２で撮像して得たスルー画の一例を示している。このスルー画３０１には、被写体として人物３０２がたとえば一人写っている。図３に示すように順光状態にある場合、環境光の光源が撮影者の後方に位置することとなる。そのため、図１２に示した被写体（人物３０２）の顔部分３０２ａの輝度と、顔部分３０２ａの周囲の領域３０３の輝度との差は少なくなる。また、図４に示すように逆光状態にある場合、環境光の光源が撮影者の前方に位置することとなる。そのため、人物３０２の顔部分３０２ａの輝度は、周囲の領域３０３の輝度よりも低くなる。また、顔部分３０２ａの輝度と周囲の領域３０３の輝度との差の絶対値は、順光状態のときよりも大きくなる。
【００８７】
そこで、本実施の形態のカメラ１では、演算回路１０１は、撮像素子２０２で撮像して得たスルー画３０１から人物３０２の顔部分３０２ａの有無を判断する。なお、スルー画３０１から人物３０２の顔部分３０２ａの有無を判断する顔認識処理の技術については公知であるので、説明を省略する。そして、演算回路１０１は、人物の顔部分３０２ａが存在すると判断された場合には、顔部分３０２ａの輝度と、その周囲の領域３０３の輝度とを比較する。
【００８８】
演算回路１０１は、顔部分３０２ａの輝度が周囲の領域３０３の輝度よりも低く、かつ、顔部分３０２ａの輝度と周囲の領域３０３の輝度との差の絶対値があらかじめ定められた値△ｂよりも大きい場合には逆光状態であると判断する。また、演算回路１０１は、顔部分３０２ａの輝度が周囲の領域３０３の輝度よりも高い場合、または、顔部分３０２ａの輝度と周囲の領域３０３の輝度との差の絶対値が値△ｂよりも小さい場合には順光状態であると判断する。
【００８９】
−−−バックライト７ｂの輝度制御について−−−
カメラ１の不図示の電源スイッチがオンされてカメラ１が起動されると、以下に述べるバックライト７ｂの輝度制御が行われるまでは、第１および第２の実施の形態と同様に、輝度Ｂでバックライト７ｂが点灯する。
【００９０】
（１）  周囲が明るい場合（環境光の光源からの光が強い場合）
（１−１）逆光状態
上述したように、環境光の光源からの光が強く、かつ、逆光状態となる場合には、環境光の光源によって表示モニタ７の視認性が低下する。そこで、演算回路１０１は、環境光の光源からの光の強さが表示モニタ７の視認性に悪影響を及ぼすほど強いか否かを判断する。具体的には、演算回路１０１は、検出された背面輝度Ｂｒが所定の輝度ｂ２を超えていれば、環境光の光源からの光の強さが表示モニタ７の視認性に悪影響を及ぼすほど強いと判断する。
【００９１】
演算回路１０１は、検出された背面輝度Ｂｒが所定の輝度ｂ２を超えている場合に、撮像素子２０２で撮像して得たスルー画３０１から人物３０２の顔部分３０２ａを特定して、上述したように逆光状態であるか否かを判断する。演算回路１０１は、逆光状態であると判断すると、通常の輝度Ｂよりも高い輝度Ｃでバックライト７ｂが点灯するよう、バックライト駆動部１６２を制御する。すなわち、演算回路１０１は、検出された背面輝度Ｂｒが所定の輝度ｂ２を超えている場合に、上述したように逆光状態であると判断すると、バックライト７ｂの輝度レベルを輝度Ｃに変更するよう、バックライト駆動部１６２を制御する。バックライト駆動部１６２は、輝度Ｃで点灯するよう、バックライト７ｂを駆動する。その結果、表示モニタ７の表示画面の輝度が上昇するので、表示モニタ７の視認性が向上する。
【００９２】
（１−２）順光状態
上述したように、順光状態では、環境光の光源からの光の強さが逆光状態で表示モニタ７の視認性に悪影響を及ぼすほど強い場合であっても表示モニタ７の視認性がそれほど悪化しない。したがって、演算回路１０１は、検出された背面輝度Ｂｒが所定の輝度ｂ２を超えている場合に、上述したように順光状態であると判断すると、周囲の領域３０３の輝度があらかじめ定められた輝度ｃを超えているか否かを判断する。
【００９３】
演算回路１０１は、検出された背面輝度Ｂｒが所定の輝度ｂ２を超え、かつ、上述したように順光状態であると判断し、かつ、周囲の領域３０３の輝度があらかじめ定められた輝度ｃを超えていると判断すると、輝度Ｃでバックライト７ｂが点灯するよう、バックライト駆動部１６２を制御する。バックライト駆動部１６２は、輝度Ｃで点灯するよう、バックライト７ｂを駆動する。その結果、表示モニタ７の表示画面の輝度が上昇するので、表示モニタ７の視認性が向上する。
【００９４】
なお、演算回路１０１は、検出された背面輝度Ｂｒが所定の輝度ｂ２を超え、かつ、上述したように順光状態であると判断しても、周囲の領域３０３の輝度が輝度ｃを超えていないと判断すると、輝度Ｂでバックライト７ｂが点灯するよう、バックライト駆動部１６２を制御する。バックライト駆動部１６２は、輝度Ｂで点灯するよう、バックライト７ｂを駆動する。その結果、表示モニタ７の表示画面の輝度は通常の状態と同じになるが、上述したように、環境光の光源からの光によって表示モニタ７の視認性が悪化しないため、撮影者は、表示モニタ７に表示される画像を確実に視認できる。
【００９５】
（１−３）  顔認識ができなかった場合
スルー画中に人物が存在しない場合や、何らかの原因でスルー画中の人物の顔を認識できない場合がある。そこで、演算回路１０１は、検出された背面輝度Ｂｒが所定の輝度ｂ２を超えている場合であって顔認識ができなかった場合には、第２の実施の形態と同様に逆光状態であるか順光状態であるかを判断する。すなわち、演算回路１０１は、背面輝度Ｂｒとスルー画輝度Ｂｆとの大小関係を比較する。そして、演算回路１０１は、Ｂｆ＜Ｂｒであれば順光状態であると判断し、Ｂｒ＜Ｂｆであれば逆光状態であると判断する。
【００９６】
演算回路１０１は、背面輝度Ｂｒが所定の輝度ｂ２を超えている場合に、背面輝度Ｂｒとスルー画輝度Ｂｆとに基づいて上述したように逆光状態であると判断すると、通常の輝度Ｂよりも高い輝度Ｃでバックライト７ｂが点灯するよう、バックライト駆動部１６２を制御する。また、演算回路１０１は、背面輝度Ｂｒが所定の輝度ｂ３を超え、かつ、背面輝度Ｂｒとスルー画輝度Ｂｆとに基づいて上述したように順光状態であると判断すると、輝度Ｃでバックライト７ｂが点灯するよう、バックライト駆動部１６２を制御する。
【００９７】
なお、演算回路１０１は、検出された背面輝度Ｂｒが所定の輝度ｂ２を超えていても輝度ｂ３以下であり、かつ、上述したように順光状態であると判断すると、輝度Ｂでバックライト７ｂが点灯するよう、バックライト駆動部１６２を制御する。
【００９８】
（２）  周囲が適度に明るい場合（環境光の光源からの光がさほど強くない場合）
演算回路１０１は、検出された背面輝度Ｂｒが所定の輝度ｂ２以下であると判断されると、第２の実施の形態の場合と同様に、輝度Ｂでバックライト７ｂが点灯するよう、バックライト駆動部１６２を制御する。
【００９９】
（３）  周囲が暗い場合（環境光の光源からの光が弱い場合）
演算回路１０１は、検出された背面輝度Ｂｒが上述した輝度ｂ２よりも低い所定の輝度ｂ１以下であると判断されると、第２の実施の形態の場合と同様に、輝度Ｂよりも低い輝度Ａでバックライト７ｂが点灯するよう、バックライト駆動部１６２を制御する。バックライト駆動部１６２は、輝度Ａで点灯するよう、バックライト７ｂを駆動する。
【０１００】
−−−フローチャート−−−
図１３は、上述したバックライト７ｂの輝度変更処理を行うプログラムの処理内容を示すフローチャートである。不図示の電源スイッチがオンされた後、レリーズボタン２が半押し操作されて、レリーズスイッチ１４１からの半押し操作信号を受信する度に、この処理を行うプログラムが起動されて、演算回路１０１で実行される。
【０１０１】
ステップＳ３１からステップＳ３９まで、ステップＳ５１、および、ステップＳ５３は、第２の実施の形態と同じである。
【０１０２】
ステップＳ３９が否定判断されるとステップＳ１４１ａへ進み、撮像素子２０２からのスルー画に基づいて、公知の顔認識処理を行ってステップＳ１４１ｂへ進む。ステップＳ１４１ｂにおいて、ステップＳ１４１ａにおける顔認識処理によって、顔認識ができたか否かを判断する。ステップＳ１４１ｂが肯定判断されるとステップＳ１４１ｃへ進み、顔部分３０２ａの輝度と周囲の領域３０３の輝度とに基づいて上述したように逆光状態であるか否かを判断する。ステップＳ１４１ｃが肯定判断されるとステップＳ４３へ進む。ステップＳ４３以降の処理は第２の実施の形態と同じである。
【０１０３】
ステップＳ１４１ｃが否定判断されるとステップＳ１４５へ進み、スルー画中の人物の顔部の周囲の明るさが明るいか否か、すなわち、周囲の領域３０３の輝度があらかじめ定められた輝度ｃを超えているか否かを判断する。ステップＳ１４５が肯定判断されるとステップＳ４７へ進み、ステップＳ１４５が否定判断されるとステップＳ４９へ進む。ステップＳ４７およびステップＳ４９以降の処理は第２の実施の形態と同じである。
【０１０４】
ステップＳ１４１ｂが否定判断されるとステップＳ４１へ進む。ステップＳ４１以降の処理ついては、第２の実施の形態と同じである。
【０１０５】
上述した第３の実施の形態のカメラ１では、第１および第２の実施の形態の作用効果に加えて、次の作用効果を奏する。
（１）  撮像素子２０２で撮像して得たスルー画から人物の顔部分を特定し、顔部分の輝度と、その周囲の領域の輝度とを比較することで、逆光状態であるか否かを判断するように構成した。これにより、逆光状態であるか否かの判定精度が向上するので、バックライト７ｂの輝度を的確に制御できるようになり、様々な環境下で表示モニタ７の視認性を確保できる。
【０１０６】
−−−変形例−−−
（１）  上述の説明では、輝度ａ１〜ａ３および輝度ｂ１〜ｂ３をスルー画から推定される環境光の色温度に応じて変更するように構成しているが、本発明はこれに限定されない。たとえば、輝度ａ１〜ａ３および輝度ｂ１〜ｂ３をユーザが任意の値に設定できるように構成してもよい。また、輝度ａ１〜ａ３および輝度ｂ１〜ｂ３を撮影モードに応じて変更するように構成してもよい。この場合、たとえば、海辺やゲレンデのように非常に明るい環境下で撮影する際に設定される海・雪モードがあるが、撮影モードが海・雪モードに設定された場合、演算回路１０１が、上述の説明における色温度が高い場合と同様の値に輝度ａ１〜ａ３および輝度ｂ１〜ｂ３を設定するように構成してもよい。また、たとえば朝焼け時や夕焼け時の撮影の際に設定される夕焼けモードがあるが、撮影モードが夕焼けモードに設定された場合、演算回路１０１が、上述の説明における色温度が低い場合と同様の値に輝度ａ１〜ａ３および輝度ｂ１〜ｂ３を設定するように構成してもよい。
【０１０７】
さらに、輝度ａ１〜ａ３および輝度ｂ１〜ｂ３を時刻によって変更するように構成してもよい。この場合、たとえば、演算回路１０１は、レリーズスイッチ１４１からの半押し操作信号を受信すると、カメラ１に内蔵された時計からの時刻データを読み込む。そして、演算回路１０１は、読み込んだ時刻が昼の時間帯（たとえば９時から１５時まで）に該当するか否か、または、朝または夕方の時間帯（たとえば６時から９時まで、または１５時から１８時まで）に該当するか否かを判断する。演算回路１０１は、読み込んだ時刻が昼の時間帯に該当する場合には、上述の説明における色温度が高い場合と同様の値に輝度ａ１〜ａ３および輝度ｂ１〜ｂ３を設定する。また、演算回路１０１は、読み込んだ時刻が朝または夕方の時間帯に該当する場合には、上述の説明における色温度が低い場合と同様の値に輝度ａ１〜ａ３および輝度ｂ１〜ｂ３を設定する。
【０１０８】
なお、輝度ａ１〜ａ３および輝度ｂ１〜ｂ３を変更せずに一定値に固定してもよい。
【０１０９】
（２）  上述した第１の実施の形態において、図９のステップＳ７、ステップＳ９、ステップＳ１５の各判断ステップで周辺輝度Ｂｂを用いて判断するようにしているが本発明はこれに限定されない。たとえば、図９のステップＳ７、ステップＳ９、ステップＳ１５の各判断ステップで、周辺輝度Ｂｂに代えて、顔面輝度Ｂａを用いてもよく、第２の実施の形態で説明したスルー画輝度Ｂｆを用いてもよく、上述した作用効果と同様の作用効果を奏する。
【０１１０】
また、上述した第２の実施の形態において、図１１のステップＳ３７、ステップＳ３９、ステップＳ４５の各判断ステップで背面輝度Ｂｒを用いて判断するようにしているが本発明はこれに限定されない。たとえば、図１１のステップＳ３７、ステップＳ３９、ステップＳ４５の各判断ステップで、背面輝度Ｂｒに代えて、スルー画輝度Ｂｆを用いてもよく、上述した作用効果と同様の作用効果を奏する。
【０１１１】
同様に、上述した第３の実施の形態において、図１３のステップＳ３７、ステップＳ３９、ステップＳ４５の各判断ステップで、背面輝度Ｂｒに代えて、スルー画輝度Ｂｆを用いてもよく、上述した作用効果と同様の作用効果を奏する。
【０１１２】
（３）  上述した第１の実施の形態では、顔面輝度Ｂａが周辺輝度Ｂｂよりも高ければ逆光状態であると判断するように構成したが、本発明はこれに限定されない。たとえば、撮影モードが夕焼けモードに設定された場合には、太陽の仰角が小さく、逆光状態が発生しやすい場合であるとみなして、顔面輝度Ｂａと周辺輝度Ｂｂとの高低関係にかかわらず、逆光状態であると判断するように構成してもよい。
【０１１３】
この場合、バックライト７ｂの輝度変更処理を行うプログラムの処理内容を示すフローチャートは、たとえば図１４のようになる。図１４のフローチャートに示すように、第１の実施の形態における図９のフローチャートのステップＳ９とステップＳ１１との間に新たにステップＳ１０を設ける。そして、演算回路１０１は、ステップＳ９が実行されるとステップＳ１０へ進み、カメラ１の撮影モードが夕焼けモードに設定されているか否かを判断する。ステップＳ１０が肯定判断されるとステップＳ１３へ進み、ステップＳ１０が否定判断されるとステップＳ１１へ進む。
【０１１４】
また、撮影モードが夕焼けモードに設定された場合であって、撮像素子２０２によって得られるスルー画輝度Ｂｆがある程度以上高ければ、測光センサ１５３で検出される周辺輝度Ｂｂの高低にかかわらず、バックライト７ｂの輝度を上昇させるように構成してもよい。
【０１１５】
この場合、バックライト７ｂの輝度変更処理を行うプログラムの処理内容を示すフローチャートは、たとえば図１５のようになる。図１５のフローチャートに示すように、第１の実施の形態における図９のフローチャート上に、新たにステップＳ６ａ〜ステップＳ６ｄを設け、ステップＳ５とステップＳ７との間にステップＳ６ａを挿入する。そして、演算回路１０１は、ステップＳ５が実行されるとステップＳ６ａへ進み、カメラ１の撮影モードが夕焼けモードに設定されているか否かを判断する。
【０１１６】
ステップＳ６ａが肯定判断されるとステップＳ６ｂへ進み、スルー画輝度Ｂｆを読み込んでステップＳ６ｃへ進む。ステップＳ６ｃにおいて、ステップＳ６ｂで読み込んだスルー画輝度Ｂｆがあらかじめ定められた所定値以上であるか否かを判断する。ステップＳ６ｃが肯定判断されるとステップＳ６ｄへ進み、バックライト７ｂの輝度レベルを輝度Ｃに変更するよう、バックライト駆動部１６２を制御して処理を終了する。
【０１１７】
ステップＳ６ｃが否定判断されるとステップＳ７へ進む。ステップＳ６ａが否定判断されるとステップＳ７へ進む。
【０１１８】
（４）  上述した第２の実施の形態では、撮像光学系の焦点距離が長い場合には、逆光状態であっても環境光の光源が撮像範囲から外れることがある。そのため、逆光状態であっても、必ずしも背面輝度Ｂｒが低くなり、スルー画輝度Ｂｆが高くなるとは限らない。そこで、撮像光学系の焦点距離が長い場合には、背面輝度Ｂｒが上述した輝度ｂ２より高ければバックライト７ｂの輝度を上昇させるようにしてもよい。
【０１１９】
すなわち、演算回路１０１は、撮像光学系の焦点距離と背面輝度Ｂｒとを読み込む。そして、演算回路１０１は、読み込んだ焦点距離が所定の焦点距離以上であり、かつ、読み込んだ背面輝度Ｂｒが輝度ｂ２よりも高ければ、バックライト７ｂの輝度レベルを輝度Ｃに変更するよう、バックライト駆動部１６２を制御する。
【０１２０】
（５）  上述の説明では、演算回路１０１がレリーズスイッチ１４１からの半押し操作信号を受信したときにバックライト７ｂの輝度変更処理を行うプログラムが起動されるように構成しているが、本発明はこれに限定されない。たとえば、不図示の電源スイッチがオンされたときに演算回路１０１がバックライト７ｂの輝度変更処理を行うプログラムを起動するように構成してもよい。この場合には、電源スイッチがオンされると、レリーズボタン２の操作の有無にかかわらず、常に上述したバックライト７ｂの輝度制御が行われることになる。
【０１２１】
また、カメラボディ１０内に振動センサを新たに設けて、この振動センサの出力値が安定すれば、カメラ１の姿勢が決まった（撮影構図が決定した）ものとみなして、演算回路１０１がバックライト７ｂの輝度変更処理を行うプログラムを起動するように構成してもよい。さらに、縦／横位置センサを新たに設けて、この縦／横位置センサの出力値が安定すれば、撮影構図が決定したものとみなして、演算回路１０１がバックライト７ｂの輝度変更処理を行うプログラムを起動するように構成してもよい。これらの場合には、撮影構図が決定してカメラ１の姿勢が安定すると、上述したバックライト７ｂの輝度制御が行われることになる。
【０１２２】
そのほかにも、上述した顔認識処理を行い、スルー画中に顔部分が存在すると判断されると、撮像可能状態になったものとみなして、演算回路１０１がバックライト７ｂの輝度変更処理を行うプログラムを起動するように構成してもよい。
【０１２３】
（６）  逆光状態であるか否かを判断する際に、スルー画内の明るい部分と暗い部分との輝度の差（スルー画内輝度差）に基づいて判断するようにしてもよい。たとえば、スルー画内輝度差が大きければ、環境光の光源がカメラ１の前方にあるとみなして、逆光状態であると判断するようにしてもよい。なお、このようにして逆光状態であるか否かを判断する場合には、撮像光学系の焦点距離が長い場合には、逆光状態であっても環境光の光源が撮像範囲から外れことがある。そのため、逆光状態であっても、必ずしもスルー画内輝度差が大きくなるとは限らない。そこで、撮像光学系の焦点距離が長い場合には、スルー画内輝度差に関わりなく逆光状態であるとみなすように構成してもよい。
【０１２４】
（７）  上述の説明では、表示モニタ７は、非自発光型の液晶表示装置（ＬＣＤ）であるが、本発明は、これに限定されない。たとえば表示モニタ７として有機ＥＬや電界放出ディスプレイ（ＦＥＤ）のように自発光型の表示装置を用いてもよく、上述した作用効果と同様の作用効果を奏する。なお、表示モニタ７に自発光型の表示装置を用いた場合、バックライト７ｂの輝度の代わりに、表示装置自体の表示輝度を変更すればよい。
【０１２５】
（８）  上述の説明では、逆光状態であると判断された場合と、順光状態であってある程度以上に周囲が明るいと判断された場合に、それぞれ輝度Ｃでバックライト７ｂが点灯するように構成されているが、本発明はこれに限定されない。たとえば、逆光状態であると判断された場合と、順光状態であってある程度以上に周囲が明るいと判断された場合とで、それぞれ異なる輝度でバックライト７ｂが点灯するように構成されていてもよい。なお、いずれの場合であっても、上述した輝度Ｂよりも高い輝度でバックライト７ｂが点灯することが望ましい。
【０１２６】
（９）  上述の説明では、表示モニタ７を有する電子機器の一例としてカメラ１について説明したが、本発明は、カメラに限らず、携帯可能なテレビや、画像再生装置、携帯電話機、ＰＤＡ、ノートＰＣなどの表示装置を有する各種の電子機器に適用可能である。
（１０）  上述した各実施の形態および変形例は、それぞれ組み合わせてもよい。
【０１２７】
なお、本発明は、上述した実施の形態のものに何ら限定されず、筐体に設けられた表示装置と、表示装置の表示面が向けられた方向の輝度分布を測定する輝度分布測定手段と、輝度分布測定手段で測定した輝度分布中の第１領域の輝度と、第１領域の周辺の第２領域の輝度との高低関係を判定する判定手段と、判定手段の判定結果に基づいて表示装置の輝度値を設定する輝度設定手段と、輝度設定手段で設定された輝度値で画面表示されるように表示装置を制御する表示制御手段とを備える各種構造の電子機器を含むものである。
【図面の簡単な説明】
【０１２８】
【図１】第１の実施の形態のカメラの斜視図である。
【図２】カメラ１の構成を説明するブロック図である。
【図３】順光状態について説明する図である。
【図４】逆光状態について説明する図である。
【図５】測光センサ１５３の構成を概念的に示す図である。
【図６】検出素子１５３ａの測光エリアの形状を示す図である。
【図７】カメラ１と撮影者との位置関係を示す図である。
【図８】検出素子１５３ａの測光エリアの輝度と順光状態、逆光状態との関係を示す図である。
【図９】バックライト７ｂの輝度変更処理を行うプログラムの処理内容を示すフローチャートである。
【図１０】第２の実施の形態および第３の実施の形態のカメラ１の構成を説明するブロック図である。
【図１１】第２の実施の形態のバックライト７ｂの輝度変更処理を行うプログラムの処理内容を示すフローチャートである。
【図１２】撮像素子２０２で撮像して得たスルー画の一例を示す図である。
【図１３】第３の実施の形態のバックライト７ｂの輝度変更処理を行うプログラムの処理内容を示すフローチャートである。
【図１４】変形例を示す図である。
【図１５】変形例を示す図である。
【符号の説明】
【０１２９】
１  カメラ                              ２  レリーズボタン
７  表示モニタ                          ７ｂ  バックライト
１０１  演算回路                        １３５，２３５  測光センサ
１５３ａ  検出素子                      １５３ｂ  レンズ
１５３ｃ  中央測光エリア                １５３ｄ  周辺測光エリア
１４１  レリーズスイッチ                １６２  バックライト駆動部
２０２  撮像素子
【図１】
2008244587.tif 000003
【図２】
2008244587.tif 000004
【図３】
2008244587.tif 000005
【図４】
2008244587.tif 000006
【図５】
2008244587.tif 000007
【図６】
2008244587.tif 000008
【図７】
2008244587.tif 000009
【図８】
2008244587.tif 000010
【図９】
2008244587.tif 000011
【図１０】
2008244587.tif 000012
【図１１】
2008244587.tif 000013
【図１２】
2008244587.tif 000014
【図１３】
2008244587.tif 000015
【図１４】
2008244587.tif 000016
【図１５】
2008244587.tif 000017